(57)【要約】【課題】一枚の止着プレートを用いて簡単にスナッピー端部の取り付け作業を行うことができ、確実な挟持力を有して緩みを防止することができ、調整もデリケートになることなく、スナッピー端部の破断も生じないスナッピー保持構造を提供せんとする。【解決手段】止着プレート７６の各挟持片の内側面３１ａ、３２ａを、ボルト軸に垂直な仮想面３５に対し、ボルト軸方向の同じ側にそれぞれ９０°未満の範囲で傾斜した平面または曲面に構成し、各挟持片の内側面の形状に対応して、スナッピー止着面３０の各挟持片に対面する部位も、それぞれ各挟持片の内側面に略平行な平面または曲面に構成した。これにより、ボルト７７の締め付けにより得られる軸方向に沿った力（Ｐ）は、各挟持片の内側面にクサビ効果で増大した力（Ｐ’）として作用し、当該増大した挟持力により、スナッピー端部がスナッピー止着面３０と止着プレート７６との間に強固に挟持される。【選択図】図７
2010128156.tif 000002
【特許請求の範囲】
【請求項１】
ストレイナーのスナッピー止着面にボルトを介して止着プレートを取り付け、前記スナッピー止着面と止着プレートとの間にスナッピーの端部を通した状態で前記ボルトを締め付け、スナッピー端部を挟持してなるスナッピー保持構造において、
前記止着プレートに、前記ボルトの挿通位置に対してスナッピー端部の先端側を挟持する第１の挟持片と、反対の基端側を挟持する第２の挟持片とを設け、
各挟持片の前記スナッピー止着面に対面する内側面を、前記ボルトの軸に垂直な仮想面に対し、ボルト軸方向の同じ側にそれぞれ９０°未満の範囲で傾斜した平面または曲面に構成するとともに、
前記スナッピー止着面の各挟持片に対面する部位を、それぞれ各挟持片の前記内側面に略平行な平面または曲面に構成し、
前記ボルトの締め付けにより得られる軸方向に沿った力が、各挟持片の内側面にクサビ効果で増大した力として作用し、当該増大した挟持力によりスナッピー端部を前記スナッピー止着面と止着プレートとの間に強固に挟持してなることを特徴とするスナッピー保持構造。
【請求項２】
各挟持片の前記内側面を、前記仮想面に対してボルト軸方向の同じ側にそれぞれ３５〜５５°の範囲内の所定角度で傾斜した平面とした請求項１記載のスナッピー保持構造。
【請求項３】
前記止着プレートを、ボルトが挿通される中央部と、該中央部にそれぞれ連続して形成される前記第１の挟持片および第２の挟持片とより構成してなる請求項１又は２記載のスナッピー保持構造。
【請求項４】
各挟持片の前記内側面の少なくともスナッピー端部が通される方向の端縁部に、該スナッピー端部を位置決めするための係合溝を形成してなる請求項１〜３の何れか１項に記載のスナッピー保持構造。
【発明の詳細な説明】
【技術分野】
【０００１】
本発明は、スネアドラムのスナッピーの端部をドラム胴本体側で支持するストレイナーによるスナッピー保持構造に関する。
【背景技術】
【０００２】
スネアドラムは、上側ドラムヘッド及び下側ドラムヘッドがフープを介して胴本体の両端面を塞ぐように設けられ、これらドラムヘッドの張りを調整するためのヘッド調整装置が上側フープと下側フープとを連結するように等角度間隔をおいて複数個設けられており、胴本体の１８０°対向する位置に設けた一対のストレイナーにより、複数本のスナッピーワイヤよりなるスナッピーを下側ドラムヘッドに接触／非接触するように切り換え可能に保持したものである（例えば、特許文献１〜３参照。）。上記一対のストレイナーのうち、少なくとも一方は保持したスナッピー端部を上下に移動させることで上記スナッピーの接触／非接触の切り換えを可能とするスイッチ機構を備えたストレイナーが用いられ、他方は同様のスイッチ機構を備えたストレイナーでもよいし、スイッチ機構を備えていない固定型のストレイナーでもよい。
【０００３】
これらスイッチ機構付き、或いは固定型のストレイナーによるスナッピー端部の保持構造は、従来、図１０（ａ）に示すように、ストレイナー１のスナッピー止着面３０にボルト７７を介して止着プレート７６を取り付け、前記スナッピー止着面３０と止着プレート７６との間にスナッピーの端部１０５を通した状態でボルト７７を締め付け、スナッピー端部１０５を挟持する構造であるが、この場合、ボルト７７の締め付けにより得られる軸方向に沿った力が挟持力としてスナッピー端部１０５に作用するが、ボルトの締め付け力が弱いと容易に緩んでしまい、演奏に影響が生じるおそれがある。そこで、従来から図１０（ｂ）に示すように止着プレート７６を二枚取り付け、止着面３０との間に通したスナッピー端部１０５を再度止着プレート７６、７６間に通して、挟持するスナッピー端部の距離を二倍にして緩み防止を図っていた。しかしながら、このような保持構造は、スナッピー端部の当該止着プレートへの取り付け作業が煩雑になるとともに、止着プレートの枚数が増えるためコスト・全体重量の増加を招いてしまう。
【０００４】
また、一枚の止着プレートで緩み防止を図るべく、止着プレートの内側面に突起等を設け、スナッピー端部に当該突起が噛み込むようにする構造も考えられるが（例えば、特許文献１参照。）、このような構造では当該突起部分に挟持力が集中してしまい、スナッピー端部の一部に負担がかかり繰り返しの使用（とくに接触／非接触の切り換え操作の繰り返し）によりスナッピー端部が破断してしまうおそれが生じる。また、このような一点集中型の保持構造では、ボルトの締め付け力が少しでも強すぎると、スナッピー端部が容易に破断してしまい、その調整は非常にデリケートとなり、演奏者の不安の原因にもなる。
【０００５】
【特許文献１】特開平７−３９０９３号公報
【特許文献２】特開２００５−３３１９２２号公報
【特許文献３】特開２００５−２２７６６０号公報
【発明の開示】
【発明が解決しようとする課題】
【０００６】
そこで、本発明が前述の状況に鑑み、解決しようとするところは、一枚の止着プレートを用いて簡単にスナッピー端部の取り付け作業を行うことができるとともに、確実な挟持力を有してスナッピー端部の緩みを防止することができ、締め付けの調整もデリケートになることなく、スナッピー端部の破断も生じないスナッピー保持構造を提供する点にある。
【課題を解決するための手段】
【０００７】
本発明は、前述の課題解決のために、ストレイナーのスナッピー止着面にボルトを介して止着プレートを取り付け、前記スナッピー止着面と止着プレートとの間にスナッピーの端部を通した状態で前記ボルトを締め付け、スナッピー端部を挟持してなるスナッピー保持構造において、前記止着プレートに、前記ボルトの挿通位置に対してスナッピー端部の先端側を挟持する第１の挟持片と、反対の基端側を挟持する第２の挟持片とを設け、各挟持片の前記スナッピー止着面に対面する内側面を、前記ボルトの軸に垂直な仮想面に対し、ボルト軸方向の同じ側にそれぞれ９０°未満の範囲で傾斜した平面または曲面に構成するとともに、前記スナッピー止着面の各挟持片に対面する部位を、それぞれ各挟持片の前記内側面に略平行な平面または曲面に構成し、前記ボルトの締め付けにより得られる軸方向に沿った力が、各挟持片の内側面にクサビ効果で増大した力として作用し、当該増大した挟持力によりスナッピー端部を前記スナッピー止着面と止着プレートとの間に強固に挟持してなることを特徴とするスナッピー保持構造を構成した。
【０００８】
ここで、各挟持片の前記内側面を、前記仮想面に対してボルト軸方向の同じ側にそれぞれ３５〜５５°の範囲内の所定角度で傾斜した平面としたものが好ましい。
【０００９】
また、前記止着プレートを、ボルトが挿通される中央部と、該中央部にそれぞれ連続して形成される前記第１の挟持片および第２の挟持片とより構成したものが好ましい。
【００１０】
また、各挟持片の前記内側面の少なくともスナッピー端部が通される方向の端縁部に、該スナッピー端部を位置決めするための係合溝を形成したものが好ましい。
【発明の効果】
【００１１】
以上にしてなる本願発明に係るスナッピー保持構造によれば、止着プレートの各挟持片の内側面をボルト軸垂直な仮想面に対してボルト軸方向の同じ側にそれぞれ９０°未満の範囲で傾斜した平面または曲面に構成し、スナッピー止着面もこれに略平行な平面または曲面に構成したので、一枚の止着プレートであるにもかかわらずクサビ効果で増大した挟持力によりスナッピー端部を強固に挟持し、緩みを防止できるとともに、突起等を設けることなく強固に支持できるため、スナッピー端部の破断も生じず、締め付けの調整も容易で、取り付け作業も簡単に行うことができる。
【００１２】
また、各挟持片の前記内側面を、前記仮想面に対してボルト軸方向の同じ側にそれぞれ３５〜５５°の範囲内の所定角度で傾斜した平面としたので、適度な挟持力でスナッピー端部を確実に保持できる。傾斜角が３５°よりも小さいと上記クサビ効果による挟持力が十分でなくなる。また、傾斜角が５５°よりも大きいとクサビ効果による挟持力が大きくなりすぎて締め付けの調整範囲が狭くなってしまい、スナッピー端部の破断の心配が生じる。
【００１３】
また、前記止着プレートを、ボルトが挿通される中央部と、該中央部にそれぞれ連続して形成される前記第１の挟持片および第２の挟持片とより構成したので、一枚のプレートを屈曲させて形成することも可能であり、簡単な構造によりコスト増大を回避したバランスの取れた構造となる。
【００１４】
また、各挟持片の前記内側面の少なくともスナッピー端部が通される方向の端縁部に、該スナッピー端部を位置決めするための係合溝を形成したので、当該係合溝にスナッピー端部を位置決めすることであらかじめ予想される挟持力で保持することが可能となり、スナッピー端部に不要な負荷が生じることを防止できるとともに、取り付け作業も容易となる。
【発明を実施するための最良の形態】
【００１５】
次に、本発明の実施形態を添付図面に基づき詳細に説明する。
【００１６】
図１〜８は、本発明に係るスナッピー保持構造の代表的実施形態を示し、図１は一対のストレイナー１、１１によりスナッピーを保持したスネアドラムを示す一部断面図であり、図中符号１はスイッチ機構を備えたストレイナー、１１は固定型のストレイナー、１００はドラム胴本体、１０２はスナッピー、１０５はスナッピー端部のスナッピー紐、Ｓｔはスナッピー保持構造をそれぞれ示している。なお、本実施形態においては、一方のストレイナー１がスイッチ機構付きで他方のストレイナー１１が固定型であるが、従来と同様、双方がスイッチ機構付きであってもよい。また、本実施形態においては双方のストレイナー１、１１に本発明に係るスナッピー保持構造Ｓｔをそれぞれ適用した例を説明するが、一方のみ本発明の保持構造Ｓｔを適用し、他方を従来からの保持構造としても勿論可能である。
【００１７】
スナッピー（響き線、Snare Wire）１０２は、従来から公知のものを広く適用でき、本例では、図１に示すように一対のスネアプレート１０３、１０３の間に金属製のコイル等からなるスナッピーワイヤ１０４を複数本平行に設け、スネアプレート１０３に取付けられたテープまたは紐よりなるスナッピー端部１０５をドラムヘッド縁部のフープ１０６に開設されているスリットを通して引き出し、スナッピー保持体３の下端部に止着したものであり、スネアプレート１０３がスナッピーワイヤ１０４とともに下側ドラムヘッド１０１に接触する「内面当たり」タイプを例示している。ただし、本発明ではスナッピー１０２の構造、張り方は何ら限定されず、スナッピーワイヤの端部とスネアプレートがフープの外側に引き出された「全面当たり」タイプとしてもよい。
【００１８】
ストレイナー１は、図１、２に示すように、ドラムの胴本体１００側に固定されるベース体２と、該ベース体２に対して上下スライド自在に係合され、且つ下端側にスナッピー１０２が連結されるスナッピー保持体３と、該スナッピー保持体３をベース体２に対して上下スライド移動させ、スナッピー１０２をドラムヘッド１０１に対して接触／非接触状態に切り換えるための操作レバー４とを備えたスイッチ機構付きのストレイナーである。図３に示すように、操作レバー４の基端側をベース体２に軸部６０を介して回動可能に枢支するとともに、前記スナッピー保持体３における操作レバー４の軸部６０よりも下側部位に一端側５ａが回動可能に連結され、且つ操作レバー４の基端部４０から先端側に所定距離離間した途中位置に他端側５ｂが同じく回動可能に連結されるリンク５を設け、操作レバー４が上方へ回動することにより、リンク５を介してスナッピー保持体３がベース体２に対して上方へ引き上げられ、逆に図３の状態から操作レバー４が下方へ回動することにより、同じくリンク５を介してスナッピー保持体３が下方へ押し下げられるように構成されている。
【００１９】
ベース体２は、図５にも示すように２つ割りの金属製の分割ハウジング２０、２１を合着して構成され、合着された内部に縦方向に沿ってスナッピー保持体３を係合状態でスライド可能に案内する案内溝２２が形成されている。また、該案内溝２２に連通して外側方に開口する縦溝２３が設けられており、この縦溝２３内をスナッピー保持体３の上下移動に伴いリンク５が回動しながら移動するように構成されている。また、スナッピー保持体３は、下端側にスナッピー端部１０５を止着する後述のスナッピー保持構造Ｓｔを有するスナッピー保持部材７と、該スナッピー保持部材に対し張力調整ボルト７１を介して上下に相対移動可能に外装されるとともに前記リンク一端側５ａが回動可能に連結されるスライド部材８とより分割構成されている。これにより操作レバー４の操作でスナッピーをドラムヘッドに接触させた状態において、さらに上記張力調整ボルト７１を回してその張り具合を微調整できるように構成されている。
【００２０】
スナッピー保持部材７は、金属製の略直方体形状の本体下端に左右に延びるスナッピー止着部７０を設けた略Ｔ字形状に構成されており、スナッピー止着部７０にはスナッピー端部１０５を挟み込んで止着する止着プレート７６が２本の締付け角ボルト７７，７７により固定され、スナッピー保持構造Ｓｔが構成されている。また、上方から軸方向に沿って張力調整ボルト７１が挿通される有底のボルト挿通孔７２が形成され、内部に後述するスライド部材８の上壁８０を上方から貫通した張力調整ボルト７１が螺合するナット７５が挿着されている。スナッピーを保持する強度があれば合成樹脂その他の素材で構成することもできる。
【００２１】
スナッピー保持構造Ｓｔは、ストレイナー１（１１）のスナッピー止着部７０のスッピー止着面３０にボルト７７を介して止着プレート７６を取り付け、前記スナッピー止着面３０と止着プレート７６との間にスナッピー端部１０５を通した状態で、前記ボルト７７を締め付けてスナッピー端部１０５を挟持するものである。止着プレート７６は、図６、７に示すように、ボルト７７が挿通される中央部３３と、該中央部３３にそれぞれ連続して形成される第１の挟持片３１および第２の挟持片３２とより構成されており、第１の挟持片３１によりボルト挿通位置（ボルト挿通孔３４）に対してスナッピー端部１０５の先端側を挟持し、第２の挟持片３２により反対の基端側を挟持する。
【００２２】
各挟持片３１、３２のスナッピー止着面３０に対面する内側面３１ａ、３２ａは、ボルト軸に垂直な仮想面３５に対して、ボルト軸方向の同じ側（本例では、ボルト挿着方向）にそれぞれ９０°未満の範囲で傾斜した平面または曲面（本例では傾斜角α１、α２の平面）に構成されており、各挟持片３１、３２の内側面の形状に対応して、スナッピー止着面３０の各挟持片３１、３２に対面する部位も、それぞれ各挟持片の内側面３１ａ、３１ｂに略平行な平面または曲面に構成され、平行な両者の隙間にスナッピー端部１０５が均一な力で挟持される。とくに、ボルト７７の締め付けにより得られる軸方向に沿った力（Ｐ）は、各挟持片の内側面３１ａ，３２ａにクサビ効果で増大した力（Ｐ’）として作用し、当該増大した挟持力（Ｐ’）により、スナッピー端部１０５がスナッピー止着面３０と止着プレート７６との間に強固に挟持されるのである。
【００２３】
各挟持片の内側面３１ａ、３２ａは、好ましくは前記仮想面３５に対してボルト軸方向の同じ側にそれぞれ３５〜５５°の範囲内の所定角度で傾斜した平面とされている。また、双方の傾斜角は、好ましくは略同一角度となることが好ましい。これにより挟持力が均一となり、スナッピー端部に偏った力が作用することを回避でき、ボルト締め付け時の調整も容易となる。本例では、双方略４５°に設定されている。また、各挟持片の内側面３１ａ、３２ａの少なくともスナッピー端部が通される方向の端縁部には、該スナッピー端部１０５を位置決めするための係合溝３６、３６がそれぞれ形成されている。スナッピー端部１０５を構成する２本のスナッピー紐を係合するための係合溝３６が、スナッピーの幅に応じてスナッピー紐の間隔が異なることから、本例では図６から分かるように、広い幅の組と狭い幅の組の二対の係合溝３６、…が形成されている。
【００２４】
図８（ａ）は、止着プレート７６の取り付け位置の変形例である。上記した代表例では、スナッピー保持部材７のスナッピー止着部７０のうち、前面と下面の角部の形状をスナッピー止着面３０として利用して止着プレート７６を取り付けていたが、本変形例は、スナッピー止着部７０の前面に断面視山形の止着面３０を構成し、止着プレート７６を当該前面側に取り付けた例である。これによれば特に第２の挟持片３２の下端縁から突出しているスナッピー端部１０５に角度がなくなり、当該スナッピー端部１０５に掛かる負担を少なくできるメリットがある。
【００２５】
また、図８（ｂ）は、各挟持片の内側面３１ａ、３２ａをボルト軸方向のボルト脱離方向（ボルト頭部方向）に傾斜した平面に構成したものであり、このような構成によっても各挟持片の内側面３１ａ，３２ａにクサビ効果で増大した力が作用し、スナッピー端部１０５がスナッピー止着面３０と止着プレート７６との間に強固に挟持される。また、図９（ａ）〜（ｃ）は、それぞれ各挟持片の内側面３１ａ、３２ａをボルト軸方向の同じ側にそれぞれ９０°未満の範囲で傾斜した曲面に構成した変形例であり、このような曲面によっても同様にクサビ効果で増大した力が作用し、スナッピー端部１０５がスナッピー止着面３０と止着プレート７６との間に強固に挟持される。とくにこのような曲面によれば各挟持片３１、３２のスナッピー端部が通される方向の端縁部に近づくにつれて上記傾斜の角度が大きくなり、力も大きく作用するため、スナッピー端部１０５を抜けにくく挟持することができることとなる。
【００２６】
スライド部材８は、合成樹脂の成形体であり、一側方及び下方にわたって開放される収納溝８１が設けられることにより断面視略コ字形に構成されており、その上壁８０には、収納溝８１内に係合したスナッピー保持部材７に螺合する張力調整ボルト７１を上方から通すための通孔８０ａが穿設されている。また、スライド部材８の前記開放された一側方と反対方向の側壁８２の下側部位には、リンク５の一端側５ａが連結されるブラケット片８３が突設されており、該ブラケット片８３及びリンク５の少なくとも一端側がベース体２の縦溝２３内を上下に移動することとなる。
【００２７】
スライド部材８のブラケット片８３と操作レバー４の途中位置には、それぞれリンク５の一端側５ａ及び他端側５ｂがそれぞれ回動可能に枢支される軸部６１，６２が設けられている。各軸部６１，６２は、ブラケット片８３及び操作レバー４に対してＴ字状に２方向に突設されており、外側に湾曲した同一形状の２本のリンク５，５が、各々同じ側に突出した軸部間を連結するように設けられている。リンク５は上記のとおり外側に湾曲した形状に構成されているため、操作レバー４を上方へ回転させた際には、リンク他端側５ｂの操作レバー４との連結点（軸部６２）が、リンク一端側５ａのブラケット片８３との連結点（軸部６１）と操作レバー基端側の枢支点である軸部６０とを通る仮想線上のデッドポイントを超えてベース体中心軸側へ移動し、スナッピー１０２からリンク５を介して受ける反発力の方向が変化して操作レバー４が戻らない安定姿勢となる。
【００２８】
ベース体２の分割ハウジング２０の外面側には、取付台２９が一体的に設けられており、胴本体１００に形成した通孔１００ａに内面側から取付ネジ１０７を挿通して前記取付台２９のネジ孔２９ａに螺合することで該ベース体２、すなわちストレイナー１が胴本体１００の表面上に固定される。なお、ストレイナー１は、本実施形態のようにドラム胴本体に直接取付けてもよいし、或いは胴本体から離して設けたフローティングタイプとしてもよい。
【００２９】
固定型のストレイナー１１は、図１に示すように、ストレイナー１の取付台と同様、胴本体１００に形成した通孔１００ａに内面側から取付ネジ１０７を挿通して胴本体１００の表面上に固定されるスナッピー止着部７０と、その前面側に取り付けられる止着プレート７６とより構成されている。止着プレート７６によるスナッピー保持構造Ｓｔは、図７（ｂ）の断面図に示すように、上述したストレイナー１によるスナッピー保持構造と同一であり、その変形例（図８、９の例）についても同様に考えることができるのであり、同一構造には同一符号を付し、その説明は省略する。
【００３０】
本例では、一方に設けたストレイナー１の操作レバー４でスナッピー１０２の張り状態（接触／非接触）の切り換えが行われる。スナッピー１０２の音響効果を使用せずに演奏するときは操作レバー４によりスナッピー保持部材７を下方向に移動させてドラムヘッド１０１に対し非接触状態とし、音響効果を使用したいときは操作レバー４によりスナッピー保持部材７を上方向に移動させてスナッピー１０２の張力を大きくしてドラムヘッド１０１に接触させる。この接触状態において、さらに張力調整ボルト７１を回してスナッピー保持部材７の上下位置を微調整し、スナッピー１０２の微妙な張力調整を行うことができる。
【００３１】
以上、本発明の実施形態について説明したが、本発明はこうした実施例に何ら限定されるものではなく、本発明の要旨を逸脱しない範囲において種々なる形態で実施し得ることは勿論である。
【図面の簡単な説明】
【００３２】
【図１】本発明の代表的実施形態に係るスナッピー保持構造の全体構成を示す説明図。
【図２】同じくスイッチ機構付きのストレイナーを示す斜視図。
【図３】同じくストレイナーの左右の縦断面図。
【図４】同じくストレイナーの前後の縦断面図。
【図５】同じくストレイナーの横断面図。
【図６】（ａ）は止着プレートを示す正面図、（ｂ）は同じく断面図。
【図７】（ａ），（ｂ）はスナッピー保持構造の要部を示す断面図。
【図８】（ａ），（ｂ）はスナッピー保持構造の変形例を示す断面図。
【図９】（ａ）〜（ｃ）はスナッピー保持構造のさらに他の変形例を示す断面図。
【図１０】（ａ），（ｂ）は、スナッピー保持構造の従来例を示す要部の断面図。
【符号の説明】
【００３３】
１  ストレイナー                ２  ベース体
３  スナッピー保持体            ４  操作レバー
５  リンク                      ５ａ  一端側
５ｂ  他端側                    ７  スナッピー保持部材
８  スライド部材                １１  ストレイナー
２０，２１  分割ハウジング      ２３  縦溝
２６  筒状摺動部                ２８  凹部
２９  取付台                    ２９ａ  ネジ孔
３０  スナッピー止着面          ３１  第１の挟持片
３２  第２の挟持片              ３３  中央部
３４  ボルト挿通孔              ６０，６１，６２  軸部
７０  スナッピー止着部          ７１  張力調整ボルト
７２  ボルト挿通孔              ７５  ナット
７６  止着プレート              ７７  角ボルト
８０  上壁                      ８０ａ  通孔
８１  収納溝                    ８２  側壁
８３  ブラケット片              １００  胴本体
１００ａ  通孔                  １０１  下側ドラムヘッド
１０２  スナッピー              １０３  スネアプレート
１０４  スナッピーワイヤ        １０５  スナッピー紐
１０６  フープ                  １０７  取付ネジ
【図１】
2010128156.tif 000003
【図２】
2010128156.tif 000004
【図３】
2010128156.tif 000005
【図４】
2010128156.tif 000006
【図５】
2010128156.tif 000007
【図６】
2010128156.tif 000008
【図７】
2010128156.tif 000009
【図８】
2010128156.tif 000010
【図９】
2010128156.tif 000011
【図１０】
2010128156.tif 000012